(57)【要約】【課題】ケース内部に収納した回転型物のガタツキを確実に防止できる回転式電子部品を提供する。【解決手段】ケース９０（上ケース９１と下ケース１０１）内に回転型物３０を収納し、回転型物３０と一体に回転し且つ回転型物３０とは別に所定ストローク上下動自在となるように結合したシャフト１０をケース９０上面から突出した回転式電子部品１である。回転型物３０の上面に上方向に突出する軸部４１を設け、軸部４１の外周をケース９０の軸受９５によって回転自在に軸支し、さらにシャフト１０は回転型物３０の軸部４１内に設けたシャフト軸支穴４３内周面において回転型物３０と係合して一体に回転し且つ回転型物３０内で所定ストローク上下動自在となるように軸支される。【選択図】      図２
2004178988.tif 000002
【特許請求の範囲】
【請求項１】
ケース内に回転型物を収納し、前記回転型物と一体に回転し且つ回転型物とは別に所定ストローク上下動自在となるように結合したシャフトを前記ケース上面から突出し、シャフトを回転することで回転型物を回転してケース内に設置した回転型の電気的機能部を操作すると共に、シャフトを押圧することで回転型物の下部に設置した他の電気的機能部を操作する構造の回転式電子部品において、
前記回転型物の上面に上方向に突出する軸部を設け、この軸部の外周を前記ケースの上面に設けた軸受によって回転自在に軸支し、さらに前記シャフトは回転型物の軸部内に設けたシャフト軸支穴内周面において前記回転型物と係合して一体に回転し且つ回転型物内で所定ストローク上下動自在となるように軸支機構によって軸支されることを特徴とする回転式電子部品。
【請求項２】
前記軸支機構は、シャフト外周又はシャフト軸支穴内周の何れか一方に設けた係合部を、シャフト軸支穴内周又はシャフト外周の何れか他方に設けた上下方向に向かう上下方向溝と、上下方向溝に続いて回転方向に向かう回転方向溝と、回転方向溝に続いて上下方向に向かう終端付上下方向溝とに挿入してなる機構であることを特徴とする請求項１に記載の回転式電子部品。
【発明の詳細な説明】
【０００１】
【発明の属する技術分野】
本発明は、回転式電子部品に関するものである。
【０００２】
【従来の技術】
従来、ケース内に回転型物を収納し、ケース上面に設けた筒状の軸受内にシャフトを挿入してケース内部においてシャフトと回転型物とを一体に回転すると共にシャフトのみが所定ストローク上下動自在となるように結合し、ケース上面から突出したシャフトを回転することで回転型物を回転してケース内に設置した回転型の電気的機能部（例えば回転型スイッチ）を操作すると共に、シャフトを押圧することで回転型物の下部に設置した押圧型の電気的機能部（例えば押圧スイッチ）をシャフト下端によって操作する構造の回転式電子部品がある（例えば、特許文献１の図１参照）。
【０００３】
しかしながら上記構造の回転式電子部品においては、ケース内に収納した回転型物のガタツキを確実に防止することが困難であった。何故なら回転型物を回転自在に軸支する軸支部分は、回転型物の上面及び下面から突出する回転軸をケース内部に設けた軸受に軸支させることによって行なうが、軸支はケース内において行なわれるので前記軸支部分の軸方向の長さは短くて軸支の確実性に欠けるからである。またケース上部には回転型物の軸支部分の他に、その上にシャフトの軸支部分を設けなければならず、ケースの構造が複雑になる。特にケースを金属板で構成する場合はこのような複雑な構造にするのは困難であり、このためケースを金属板で構成する場合は回転型物の軸支は回転型物の下面側の回転軸のみにおいて行なわれており、そのガタツキ防止がさらに困難であった。そして回転型物がガタツクと、回転式電子部品を何ら操作していなくても、外的振動等によって回転型の電気的機能部（例えば回転型スイッチ）の出力に変動を生じたりしてしまう。
【０００４】
【特許文献１】
特開平９−２８８９３３号公報
【０００５】
【発明が解決しようとする課題】
本発明は上述の点に鑑みてなされたものでありその目的は、ケース内部に収納した回転型物のガタツキを確実に防止できる回転式電子部品を提供することにある。
【０００６】
【課題を解決するための手段】
上記問題点を解決するため本発明は、ケース内に回転型物を収納し、前記回転型物と一体に回転し且つ回転型物とは別に所定ストローク上下動自在となるように結合したシャフトを前記ケース上面から突出し、シャフトを回転することで回転型物を回転してケース内に設置した回転型の電気的機能部を操作すると共に、シャフトを押圧することで回転型物の下部に設置した他の電気的機能部を操作する構造の回転式電子部品において、前記回転型物の上面に上方向に突出する軸部を設け、この軸部の外周を前記ケースの上面に設けた軸受によって回転自在に軸支し、さらに前記シャフトは回転型物の軸部内に設けたシャフト軸支穴内周面において前記回転型物と係合して一体に回転し且つ回転型物内で所定ストローク上下動自在となるように軸支機構によって軸支されることを特徴とする。なお前記回転型物の軸部は、前記ケースの回転型物の上面を覆っている基部よりも上方に突出し、ケースの軸受はこの回転型物の軸部をその内周面の略全体で覆って支持するように上方向に突出して設けられていることが好ましい。
【０００７】
また本発明は、前記軸支機構が、シャフト外周又はシャフト軸支穴内周の何れか一方に設けた係合部を、シャフト軸支穴内周又はシャフト外周の何れか他方に設けた上下方向に向かう上下方向溝と、上下方向溝に続いて回転方向に向かう回転方向溝と、回転方向溝に続いて上下方向に向かう終端付上下方向溝とに挿入してなる機構であることを特徴とする。
【０００８】
【発明の実施の形態】
以下、本発明の実施の形態を図面を参照して詳細に説明する。
図１は本実施形態に用いるシャフト１０と回転型物３０とを示す斜視図、また図２は前記シャフト１０と回転型物３０とを用いて構成した回転式電子部品１の側断面図である。図２に示すようにこの回転式電子部品１は、上ケース９１と下ケース１０１とからなるケース９０内に回転型物３０を収納し、回転型物３０にはシャフト１０を取り付け、さらにケース９０の下面に押圧型の電気的機能部（以下この実施形態では「押圧スイッチ部材」という）６０を設置して構成されている。なお上ケース９１と下ケース１０１の間にはクリック板７０が挟持され、また回転型物３０の下面には摺動子８０が固定されている。以下各構成部品について説明する。
【０００９】
図１に示すようにシャフト１０は合成樹脂の一体成形品であり、略円柱状であって、上部の外径よりも下部の外径を細くすることでその上下につまみ取付部１１と挿入部１５とを設け、さらに挿入部１５の下面からさらに外径を細くした柱状の押圧部１９を突出して構成されている。つまみ取付部１１の側面にはカット面１３が設けられている。挿入部１５の下部の外周側面の左右対向する位置には、突起状の係合部１７，１７が設けられている。
【００１０】
回転型物３０は合成樹脂の一体成形品であり、略円板状の基部３１の上面中央に筒状の軸部４１を設けて構成されている。軸部４１の外径は下記する上ケース９１に設けた軸受９５（図２参照）の内径と略同一寸法に形成されている。軸部４１の中央には上下方向（シャフト１０の上下動方向）に貫通するシャフト軸支穴４３が設けられ、その内周面の対向する位置には一対の、軸部４１の上面からシャフト１０の上下動方向下方に向かう上下方向溝４５と、この上下方向溝４５に続いてシャフト１０の回転方向（右回転方向）に向かう回転方向溝４７と、この回転方向溝４７に続いてシャフト１０の上下動方向上方に向かう終端のある終端付上下方向溝４９とが設けられている。これら上下方向溝４５と回転方向溝４７と終端付上下方向溝４９とは前記シャフト１０の係合部１７を挿入・ガイドする寸法形状に形成され、係合部１７と共に軸支機構を構成している。なお上下方向溝４５と回転方向溝４７と終端付上下方向溝４９の下端は何れも回転型物３０の下面に開口している。次に基部３１は円板状であって、その上面にリング状の凹凸からなるクリック係合部３３を形成し、またその下面中央に、図２に示すように下記する下ケース１０１の軸支穴１０９にこの回転型物３０を回動自在に軸支するための突起状の軸支部３５を設け、さらにその中央にシャフト１０の押圧部１９を上下動自在に貫通するガイド穴３７を設けて構成されている。
【００１１】
上ケース９１は金属板製であり（但し合成樹脂等でも良い）、平板状の基部９３の中央に上方向に突出する筒状の軸受９５を設けて構成されている。軸受９５は前記回転型物３０の軸部４１の外周をガタなく軸支する寸法形状に形成されている。
【００１２】
下ケース１０１はスイッチパターン形成部材１０３の一端に端子１０５を接続したものの下面と外周部とに成形樹脂を成形することで、底部１０７と側壁１１１とを設けて構成されている。底部１０７中央にはスイッチパターン形成部材１０３と底部１０７とを貫通して前記回転型物３０の軸支部３５を回動自在に軸支する軸支穴１０９が設けられている。なおスイッチパターン形成部材１０３は、薄板金属板自体をプレス加工等によってスイッチパターン形状に形成したものでも良いし、フレキシブル基板上にスイッチパターンを形成したものでも良いし、それ以外のものでも良く、要は表面にスイッチパターンが形成されているものならばよい。
【００１３】
押圧スイッチ部材６０はスイッチ接点形成部材６１の上面に略ドーム形状の反転板６３を載置して構成されている。スイッチ接点形成部材６１には、反転板６３の中央に対向する位置と反転板６３の外周に当接する位置とに一対の金属板製の接点６５，６７を設け、両接点６５，６７から外部に金属端子６６，６８を引き出して構成されている。そして反転板６３を押圧すれば、これが反転してクリック感覚を生じると同時に両接点６５，６７間がオンする。なお押圧スイッチ部材６０の構造が上記構造に限定されないことは言うまでもなく、例えばスイッチ接点形成部材６１に接点６５，６７を埋め込む代わりにスイッチ接点形成部材６１上に接点パターンを印刷したフレキシブル基板を設置しても良く、また反転板６３を省略してクリック感覚のない押圧スイッチを構成しても良く、さらに押圧によって電気的に動作するものであればスイッチ以外の各種電気的機能部でもよい等種々の変更が可能であり、要はシャフト１０下端の押圧部１９によって操作される構造の電気的機能部であればどのような構造のものであっても良い。
【００１４】
クリック板７０は薄板状の弾性金属板製であり、その一部に一対のアーム部７１，７１を設けて下方向に少し折り曲げ、アーム部７１，７１の中央に弾接部７３，７３を設けて構成されている。
【００１５】
摺動子８０は薄板状の弾性金属板製であり、回転型物３０の下面に固定されると共に、その一部に摺動冊子８１を設けて構成されている。
【００１６】
そしてこの押圧スイッチ付き回転式電子部品１を組み立てるには、図１においてまず予めその下面に摺動子８０を取り付けた回転型物３０のシャフト軸支穴４３内にシャフト１０の挿入部１５を挿入する。その際シャフト１０の係合部１７をシャフト軸支穴４３内部の上下方向溝４５に挿入し、シャフト１０を回転型物３０に対して最も下方まで押し込み、その状態でシャフト１０を回動（右回転）して係合部１７を回転方向溝４７に導入して終端付上下方向溝４９に至らせ、更にシャフト１０を上方向に移動して係合部１７を終端付上下方向溝４９内に収納しておく。これら挿入部１５と係合部１７とシャフト軸支穴４３と上下方向溝４５と回転方向溝４７と終端付上下方向溝４９とによって、シャフトの軸支機構が構成される。なおこのときシャフト１０の押圧部１９は回転型物３０のガイド穴３７（図２参照）に挿入される。この実施形態においては、円柱状の挿入部１５を円形のシャフト軸支穴４３内に回動自在に挿入することでシャフト１０を回転型物３０に軸支する構造なので、両者の径を精度良く形成するだけで、回転型物３０に対してシャフト１０を確実にガタなく軸支できる。
【００１７】
次に図２において上ケース９１の下側にクリック板７０を配置し、次に上ケース９１の下側からその軸受９５内に前記回転型物３０と一体化したシャフト１０のつまみ取付部１１と回転型物３０の軸部４１とを挿入し、次にその下側に下ケース１０１を配置する。このとき回転型物３０の軸支部３５を下ケース１０１の軸支穴１０９に挿入する。そして下ケース１０１の下側に押圧スイッチ部材６０を配置して、上ケース９１に設けた下方向に向かう舌片状の係止片９７を押圧スイッチ部材６０の下側で折り曲げることで、上記各部材を一体に固定し、これによって回転式電子部品１の組み立てが完了する。
【００１８】
このときクリック板７０の弾接部７３が回転型物３０のクリック係合部３３に弾接し、また摺動子８０の摺動冊子８１がスイッチパターン形成部材１０３に弾接している。またシャフト１０の押圧部１９の下端は反転板６３の上面中央に当接し、これによってシャフト１０は上方向に押し上げられ、シャフト１０のつまみ取付部１１と回転型物３０の軸部４１の上面との間にシャフトの上下ストローク分の隙間ａが形成されている。また摺動子８０を取り付けた回転型物３０とスイッチパターン形成部材１０３を取り付けた下ケース１０１とによって回転型の電気的機能部（この実施形態では「回転型スイッチ機構部」）が構成されている。
【００１９】
以上のように構成された回転式電子部品１において、シャフト１０を回転すると、シャフト１０の係合部１７が回転型物３０の終端付上下方向溝４９に係合しているので回転型物３０がこれと一体に回転し、これによって摺動子８０の摺動冊子８１がスイッチパターン形成部材１０３上を摺動して端子１０５の出力を変化する。このとき同時にクリック板７０の弾接部７３が回転型物３０のクリック係合部３３に係合・離脱し、クリック感覚を生じる。
【００２０】
次にシャフト１０を下方向（シャフト１０の回転軸下方向）に押圧すると、図３に示すように、シャフト１０は回転型物３０内を下方向にスライド移動することで、その押圧部１９が反転板６３を押圧変形し、クリック感覚を生じながら両接点６５，６７間をオンする。このときシャフト１０のつまみ取付部１１の下面が回転型物３０の軸部４１の上面に当接する。またこのときシャフト１０の係合部１７は終端付上下方向溝４９内に留まるようにシャフト１０のストローク寸法ａよりも終端付上下方向溝４９の上下方向の溝寸法を長くしたので、この係合部１７が回転方向溝４７側に移動して両者の係合が外れることはない。シャフト１０への押圧を解除すると、反転板６３は元の形状に自動復帰して接点６５，６７間がオフし、シャフト１０も押し上げられて図２に示す元の位置に自動復帰する。
【００２１】
そしてこの回転式電子部品１においては、回転型物３０の軸部４１が上ケース９１の軸受９５によって軸支され、且つ回転型物３０の軸支部３５が下ケース１０１の軸支穴１０９によって軸支され、これによって回転型物３０の上下が確実に軸支されるので、ケース９０等の固定側部材に対する回転型物３０の軸支が確実に行なえる。特に本実施形態においては、回転型物３０の上面に上方向に突出する軸部４１を設け、この軸部４１の外周を上ケース９０の上面に設けた軸受９５によって回転自在に軸支しているので、上ケース９０の軸受９５は回転型物３０の軸部４１をその内周面の略全体で覆って支持することができ、軸受面積を容易に大きく且つ下側の軸支部３５と上側の軸部４１との間隔を長くでき、これらのことから回転型物３０の軸支を確実に行なえる。このため回転式電子部品１を何ら操作しないときに、外的振動等が加わっても回転型の電気的機能部（回転型スイッチ機能部）はガタつかず、その出力に変動を生じることはない。
【００２２】
さらにシャフト１０は回転型物３０の軸部４１内に設けたシャフト軸支穴４３内に軸支されるので、上ケース９０はシャフト１０を軸支しなくても良くなり、即ち上ケース９０は回転型物３０の軸支だけで良くなり、上ケース９０は軸支のための構造が簡単になる。従って複雑な加工が困難な金属板製の上ケース９０であっても、確実な回転型物３０のガタツキ防止が図れる。
【００２３】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。
【００２４】
例えば上記実施形態ではシャフト１０の軸支機構を、シャフト１０に係合部１７を設けると共に、回転型物３０のシャフト軸支穴４３内に上下方向溝４５と回転方向溝４７と終端付上下方向溝４９とを設けて構成したが、これとは逆に、
シャフト軸支穴４３にその内周面から突出する係合部を設け、この係合部を、シャフト３０の挿入部１５の外周に設けた上下方向に向かう上下方向溝と、上下方向溝に続いて回転方向に向かう回転方向溝と、回転方向溝に続いて上下方向に向かう終端付上下方向溝とに挿入することで軸支機構を構成しても良い。
【００２５】
また例えば上記実施形態では、シャフト１０下端で押圧スイッチからなる他の電気的機能部６０を操作したが、本発明はこれにとらわれず、他の電気的機能部６０はシャフト１０の上下移動に伴って、上下方向にスライド動作するスライド型の電気的機能部や、シャフト１０の上下移動に伴って回転方向に動作する回転型の電気的機能部等であってもかまわない。
【００２６】
【発明の効果】
以上詳細に説明したように本発明によれば、ケース内部に収納した回転型物のガタツキを確実に防止できる。またその構造が簡単で、組み立ても容易である。
【図面の簡単な説明】
【図１】本発明の一実施形態に用いるシャフト１０と回転型物３０とを示す斜視図である。
【図２】本発明の一実施形態にかかる回転式電子部品１を示す側断面図である。
【図３】回転式電子部品１の動作説明図である。
【符号の説明】
１  回転式電子部品
１０  シャフト
１１  つまみ取付部
１５  挿入部（軸支機構）
１７  係合部（軸支機構）
１９  押圧部
３０  回転型物（回転型の電気的機能部）
３１  基部
３３  クリック係合部
３５  軸支部
３７  ガイド穴
４１  軸部
４３  シャフト軸支穴（軸支機構）
４５  上下方向溝（軸支機構）
４７  回転方向溝（軸支機構）
４９  終端付上下方向溝（軸支機構）
６０  押圧スイッチ部材（他の電気的機能部）
６１  スイッチ接点形成部材
６３  反転板
６５，６７  接点
６６，６８  金属端子
７０  クリック板
８０  摺動子（回転型の電気的機能部）
９０  ケース
９１  上ケース
９３  基部
９５  軸受
１０１  下ケース
１０３  スイッチパターン形成部材（回転型の電気的機能部）
１０５  端子（回転型の電気的機能部）
１０７  底部
１０９  軸支穴
１１１  側壁
【図１】
2004178988.tif 000003
【図２】
2004178988.tif 000004
【図３】
2004178988.tif 000005